Podtech/llm-jp-corpus-v4-ja_patent huggingface dataset:
【手続補正書】
【提出日】平成16年2月24日(2004.2.24)
【手続補正１】
【補正対象書類名】明細書
【補正対象項目名】特許請求の範囲
【補正方法】変更
【補正の内容】
【特許請求の範囲】
【請求項１】
被覆媒体に印刷するためのインクジェット・プリンタであり、
前記被覆媒体上にインクを射出するインク射出装置であって、前記被覆媒体は非ゼラチン材料からなる基層とゼラチンからなる表面層を有し、該ゼラチン表面層は前記被覆媒体の前記ゼラチン表面層の温度によって表面積の増大を示し、前記ゼラチン表面層の表面積の増大により前記射出されたインクの量の吸収が増大するようにしているインク射出装置と、
前記被覆媒体の近くに配置される加熱装置であって、前記インク射出装置が前記被覆媒体上にインクを射出する間、熱を放出すると共に、前記ゼラチン表面層の表面積を制御し、前記被覆媒体の前記ゼラチン表面層内へのインクの浸透を制御するために、摂氏３０度から５０度のガラス遷移温度範囲まで前記ゼラチン表面層を加熱する加熱装置と、
を備えているインクジェット・プリンタ。
【請求項２】
前記加熱装置は、放射ヒータである請求項１に記載のインクジェット・プリンタ。
【請求項３】
前記加熱装置は、加熱されるプラテンである請求項１に記載のインクジェット・プリンタ。
【請求項４】
前記加熱装置は、印刷領域熱発生要素により加熱されるプラテンである請求項１に記載のインクジェット・プリンタ。
【請求項５】
前記選択された熱の温度の上昇により前記ゼラチン表面層の表面積が増大し、前記被覆媒体の前記ゼラチン表面層内への射出されたインクの浸透が増加するようになっている請求項１に記載のインクジェット・プリンタ。
【請求項６】
インクジェット・プリンタからゼラチン被覆媒体上に射出されるインクの浸透を制御する方法であり、
インクジェット・プリンタ装置を使用して被覆媒体上にインクを印刷するステップであって、前記被覆媒体は非ゼラチン材料からなる基層とゼラチンからなる表面層を有し、該ゼラチン表面層は前記被覆媒体の前記ゼラチン表面層の温度によって表面積の増大を示し、前記ゼラチン表面層の表面積の増大により前記印刷されたインクの量の吸収が増大すべくインクを印刷するステップと、
前記被覆媒体上にインクを印刷する間、加熱装置で前記被覆媒体の前記ゼラチン表面層を摂氏３０度から５０度のガラス遷移温度範囲まで加熱するステップと、
印刷されたインクの前記ゼラチン表面層内への浸透を制御するために、前記ゼラチン表面層の表面積を変化させるステップと、
を含むインクの浸透を制御する方法。
【請求項７】
前記ゼラチン表面層を加熱するステップは、放射ヒータによって行われる請求項６に記載の被覆媒体へのインクの浸透を制御する方法。
【請求項８】
前記ゼラチン表面層を加熱するステップは、前記ゼラチン表面層の近くに配置されたプラテンヒータによって行われる請求項６に記載の被覆媒体へのインクの浸透を制御する方法。
【請求項９】
前記選択された熱の温度の上昇により前記ゼラチン表面層の表面積が増大し、前記被覆媒体の前記ゼラチン表面層内への印刷されたインクの浸透が増加することになる請求項６に記載の被覆媒体へのインクの浸透を制御する方法。
【請求項１０】
ゼラチン被覆媒体に印刷するためのインクジェット・プリンタであって、前記ゼラチン被覆媒体は、該ゼラチン被覆媒体が表面積および温度によって増加するインク吸収性を有しているガラス遷移温度範囲を具備しており、
前記ゼラチン被覆媒体上にインクを射出するインク射出装置であって、前記被覆媒体は非ゼラチン材料からなる基層とゼラチンからなる表面層を有し、該ゼラチン表面層は、前記ゼラチン表面層の温度によって表面積の増大を示すガラス遷移温度範囲を具備し、前記ゼラチン表面層の表面積の増大により前記射出されたインクの量の吸収が増大するようにしているインク射出装置と、
前記ゼラチン被覆媒体の近くに配置される加熱装置であって、前記インク射出装置が前記被覆媒体上にインクを射出する間、熱を放出すると共に、前記ゼラチン表面層の表面積を制御し、前記射出されたインクの前記ゼラチン表面層内への浸透を制御するために、摂氏３０度から５０度のガラス遷移温度範囲まで前記ゼラチン表面層を加熱する加熱装置と、を備えており、
さらに印刷領域内熱発生要素を有し、前記加熱装置が前記印刷領域内熱発生要素を具備していることを特徴とするインクジェット・プリンタ。
【請求項１１】
前記選択された熱の温度の上昇により前記ゼラチン表面層の表面積が増大し、前記射出されたインクの浸透が前記ゼラチン表面層内で増加するようになっている請求項１０に記載のインクジェット・プリンタ。
【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】撮像装置


【手続補正２】
【補正対象書類名】明細書
【補正対象項目名】特許請求の範囲
【補正方法】変更
【補正の内容】
【特許請求の範囲】
【請求項１】
撮像手段によって撮像された画像を圧縮し、圧縮画像を出力する画像圧縮手段と、
画像を表示する表示装置と接続可能であり、前記圧縮画像を前記表示装置に供給する接続手段とを有し、
前記表示装置が前記接続手段に接続されているか否かに応じて前記圧縮画像を無線で送信できるようにすることを特徴とする撮像装置。
【請求項２】
前記表示装置が前記接続手段に接続されていないときは前記圧縮画像を無線で送信できるようにし、前記表示装置が前記接続手段に接続されているときは前記圧縮画像を無線で送信できないようにすることを特徴とする請求項１に記載の撮像装置。
【請求項３】
前記表示装置は、前記接続手段に接続されていないときは前記圧縮画像を無線で受信する装置として動作することを特徴とする請求項１又は２に記載の撮像装置。
【請求項４】
前記表示装置は、前記撮像装置から供給された画像を記録媒体に記録する装置であることを特徴とする請求項１〜３のいずれか１項に記載の撮像装置。
【請求項５】
前記圧縮画像を無線で送信する無線送信手段で消費される電力を削減するための処理を前記表示装置が前記接続手段に接続されているときに行うことを特徴とする請求項１〜４のいずれか１項に記載の撮像装置。
【請求項６】
撮像手段によって撮像された画像を第１の圧縮方式に従って圧縮し、第１の圧縮画像を出力する第１の画像圧縮手段と、
前記画像を第２の圧縮方式に従って圧縮し、第２の圧縮画像を出力する第２の画像圧縮手段と、
画像を表示する表示装置と接続可能であり、前記第２の圧縮画像を前記表示装置に供給する接続手段とを有し、
前記表示装置が前記接続手段に接続されているか否かに応じて前記第１の圧縮画像を無線で送信できるようにすることを特徴とする撮像装置。
【請求項７】
前記表示装置が前記接続手段に接続されていないときは前記第１の圧縮画像を無線で送信できるようにし、前記表示装置が前記接続手段に接続されているときは前記第１の圧縮画像を無線で送信できないようにすることを特徴とする請求項６に記載の撮像装置。
【請求項８】
前記表示装置は、前記接続手段に接続されていないときは前記第１の圧縮画像を無線で受信する装置として動作することを特徴とする請求項６又は７に記載の撮像装置。
【請求項９】
前記表示装置は、前記撮像装置から供給された前記第２の圧縮画像を伸張し、表示する装置であることを特徴とする請求項６〜８のいずれか１項に記載の撮像装置。
【請求項１０】
前記表示装置は、前記撮像装置から供給された前記第２の圧縮画像を記録媒体に記録する装置であることを特徴とする請求項６〜９のいずれか１項に記載の撮像装置。
【請求項１１】
前記表示装置は、前記撮像装置から無線で送信された前記第１の圧縮画像を記録媒体に記録する前に前記第１の圧縮画像を前記第２の圧縮方式で圧縮し直す装置であることを特徴とする請求項６〜１０のいずれか１項に記載の撮像装置。
【請求項１２】
前記第１の圧縮画像を無線で送信する無線送信手段で消費される電力を削減するための処理を前記表示装置が前記接続手段に接続されているときに行うことを特徴とする請求項６〜１１のいずれか１項に記載の撮像装置。
【手続補正３】
【補正対象書類名】明細書
【補正対象項目名】０００１
【補正方法】変更
【補正の内容】
【０００１】
【発明の属する技術分野】
本発明は、画像を撮像する撮像装置（カメラ一体型ＶＴＲ等）に関するものである。


【手続補正４】
【補正対象書類名】明細書
【補正対象項目名】０００６
【補正方法】変更
【補正の内容】
【０００６】
そこで、本発明は、撮影の自由度を向上させることを目的とする。


【手続補正５】
【補正対象書類名】明細書
【補正対象項目名】０００７
【補正方法】変更
【補正の内容】
【０００７】
【課題を解決するための手段】
本発明に係る撮像装置は、撮像手段によって撮像された画像を圧縮し、圧縮画像を出力する画像圧縮手段と、画像を表示する表示装置と接続可能であり、前記圧縮画像を前記表示装置に供給する接続手段とを有し、前記表示装置が前記接続手段に接続されているか否かに応じて前記圧縮画像を無線で送信できるようにすることを特徴とする。
本発明に係る他の撮像装置は、撮像手段によって撮像された画像を第１の圧縮方式に従って圧縮し、第１の圧縮画像を出力する第１の画像圧縮手段と、前記画像を第２の圧縮方式に従って圧縮し、第２の圧縮画像を出力する第２の画像圧縮手段と、画像を表示する表示装置と接続可能であり、前記第２の圧縮画像を前記表示装置に供給する接続手段とを有し、前記表示装置が前記接続手段に接続されているか否かに応じて前記第１の圧縮画像を無線で送信できるようにすることを特徴とする。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００４８
【補正方法】変更
【補正の内容】
【００４８】
【発明の効果】
以上説明したように本発明によれば、撮影の自由度を向上させることができる。


【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正書】
【提出日】平成16年5月14日(2004.5.14)
【手続補正１】
【補正対象書類名】明細書
【補正対象項目名】特許請求の範囲
【補正方法】変更
【補正の内容】
【特許請求の範囲】
【請求項１】
濃縮液を希釈液で希釈して生成した希釈使用溶液を、瓶に注入する希釈使用溶液注入装置であって、
希釈液入口部、濃縮液入口部および希釈使用溶液出口部を有するアスピレータと、希釈液源から前記アスピレータの希釈液入口部までの希釈液の流れを調節し第一の方向に押し下げることによって操作可能な起動スイッチが設けられた調節手段によって、前記アスピレータに効果的に接続されたコントローラと、前記起動スイッチを押し下げる押し下げ手段とを備え、前記押し下げ手段が前記希釈使用溶液用出口部の近傍の第一端部および前記起動スイッチの近傍の第二端部を有し、前記押し下げ手段が第二の方向に動くように前記コントローラに対応して装着され、前記瓶が第一端部に相対して配置されて第二の方向に動き、それによって前記起動スイッチを押し下げて希釈使用溶液が瓶内に流れ込むように構成されていることを特徴とする希釈使用溶液注入装置。
【請求項２】
内部空洞と排出孔とを有するハウジングと、前記排出孔に効果的に接続されたロックアウト部材とを備え、前記ロックアウト部材の開口部断面の幾何学形状が瓶のネック部の断面形状に一致し、それによって断面の幾何学形状が異なる瓶のネック部が排出孔に挿入されないように構成されている請求項１に記載の希釈使用溶液注入装置。
【請求項３】
流体を幾何学的形状断面を有するネック部付瓶に供給する希釈使用溶液注入装置であって、
内部空洞と排出孔とを有するハウジングと、前記ハウジング内に設けられた注入機構と、前記排出孔に効果的に接続されたロックアウト部材とを備え、前記ロックアウト部材の開口部断面の幾何学形状が前記瓶の前記ネック部の断面形状に実質的に一致し、それによって断面の幾何学形状が異なる瓶のネック部が排出孔に挿入されないように構成されている希釈使用溶液注入装置。
【手続補正２】
【補正対象書類名】明細書
【補正対象項目名】発明の名称
【補正方法】変更
【補正の内容】
【発明の名称】希釈使用溶液注入装置
【手続補正３】
【補正対象書類名】明細書
【補正対象項目名】０００６
【補正方法】変更
【補正の内容】
【０００６】
そこで、本発明はこのような課題を解決するためになされたもので、生成された希釈使用溶液がその希釈使用溶液が注入されるべき正しい瓶に注入され、起動ボタンと瓶とを別々の方向に動かすことにより希釈使用溶液が瓶に注入される、希釈使用溶液注入装置を提供することを目的とする。
【手続補正４】
【補正対象書類名】明細書
【補正対象項目名】００３２
【補正方法】変更
【補正の内容】
【００３２】
【発明の効果】
以上説明したように、本発明によれば、生成された希釈使用溶液がその希釈使用溶液が注入されるべき正しい瓶に注入され（希釈使用溶液が間違った瓶に不注意で注入されるのを防止し）、起動ボタンと瓶とを別々の方向に動かすことにより希釈使用溶液が瓶に注入される、希釈使用溶液注入装置を得ることができる。
【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
水溶性の無機酸塩を主成分として、重量基準の平均粒径が１〜１０ｍｍであり、平均硬度が０．５ｋｇ以上である造粒物からなることを特徴とするブラストメディア。
【請求項２】
水溶性の無機酸塩を主成分として、重量基準の平均粒径が１〜１０ｍｍである造粒物からなり、造粒物が、水溶性の無機酸塩を圧縮成型し、次いでこれを粉砕したものであることを特徴とするブラストメディア。
【請求項３】
水溶性の無機酸塩が、アルカリ金属の炭酸水素塩である請求項１又は２記載のブラストメディア。
【請求項４】
造粒物が、造粒物の溶解促進剤を含有し、該溶解促進剤が水溶性の無機酸塩より水への溶解度が高い請求項３記載のブラストメディア。
【請求項５】
ブラストメディアを含む加圧された流体を表面にブラストする方法であって、該ブラストメディアが水溶性の無機酸塩を主成分とし、重量基準の平均粒径が１〜１０ｍｍである造粒物からなり、造粒物の平均硬度が０．５ｋｇ以上であることを特徴とするブラスト方法。
【請求項６】
ブラストメディアを含む加圧された流体を表面にブラストする方法であって、該ブラストメディアが水溶性の無機酸塩を主成分とし、重量基準の平均粒径が１〜１０ｍｍである造粒物からなり、該造粒物が水溶性の無機酸塩を圧縮成型し、次いでこれを粉砕したものであることを特徴とするブラスト方法。
【請求項７】
水溶性の無機酸塩が、アルカリ金属の炭酸水素塩である請求項５又は６記載のブラスト方法。
【請求項８】
造粒物が、造粒物の溶解促進剤を含有し、該溶解促進剤が水溶性の無機酸塩より水への溶解度が高い請求項７記載のブラスト方法。
【請求項９】
流体が、４０〜９０℃の温水である請求項５〜８のいずれかに記載のブラスト方法。
【請求項１０】
ブラストメディアを１〜３０重量％含む流体を１００〜２０００ｋｇ／ｃｍ２にて噴き付ける請求項５〜９のいずれかに記載のブラスト方法。
【手続補正２】
【補正対象書類名】明細書
【補正対象項目名】００１３
【補正方法】変更
【補正の内容】
【００１３】
上記ブラストメディアの原料成分は、通常、粒度が小さい粉末状態で入手されるが、これらは上記平均粒径を有する造粒物にせしめるために、乾式又は湿式の圧縮成型、押し出し成型、撹拌又は転動によって造粒される。なかでも本発明では乾式の圧縮成型の使用が好ましい。ブラストメディアの造粒物は圧力が好ましくは１〜２０ｔ／ｃｍの線圧のロールプレスにより圧縮成型で、フレーク状に成型し、次いでこれを上記粒度に粉砕せしめることにより良好に得られる。メディアの粒度の調整は、好ましくは適宜の整粒機、篩機により行われる。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
その一面上に、色素画像受容層およびその上のオーバーコート層を順に有する支持体を含んでなる、感熱色素転写用色素受容素子であって、前記オーバーコート層が、
ａ）線状ポリマー主鎖中に共重合したブロックポリシロキサン単位を含有する線状縮合共重合体であって、前記線状共重合体が１〜４０重量％のポリシロキサン単位を含む線状縮合共重合体、および
ｂ）Ｔｇが１０℃〜１２０℃、分子量が１，０００〜６，０００であって、次式：
【化１】
1998086531.tif 000001
（前記式中、
Ｒ3 は、水素、メチルまたはエチルを表し；
Ｒ4 は、水素、炭素数１〜６のアルキルまたはハロゲンを表し；
ａは、２〜１０の整数を表し；
ｄは、１〜６の整数を表し；そして
Ｗは、
【化２】
1998086531.tif 000002
を表す）により表されるポリカーボネート
を含む感熱色素転写用色素受容素子。
【手続補正２】
【補正対象書類名】明細書
【補正対象項目名】０００９
【補正方法】変更
【補正の内容】
【０００９】
【化４】
1998086531.tif 000003
【手続補正３】
【補正対象書類名】明細書
【補正対象項目名】００１８
【補正方法】変更
【補正の内容】
【００１８】
ポリカーボネート４：３５モル％の３−オキサ−１，５−ペンタンジオールで改質したビスフェノール−Ａ  ポリカーボネート、Ｔｇ＝３３℃およびＭ．Ｗ．〜２，５００。
【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
印刷システムにおいて、
インクを収容するインク源と、
走査キャリッジと、
該走査キャリッジにより支持される、少なくとも１つの印刷カートリッジと、
インクを前記インク源から前記印刷カートリッジに供給するために、前記印刷カートリッジに接続された第１の端部を有し、さらに第２の端部を有する少なくとも１つの柔軟な管と、
前記印刷カートリッジ内のインク室と、前記柔軟な管の前記第１の端部との間に接続され、前記少なくとも１つの印刷カートリッジが印刷中でない期間中は少なくとも、閉位置において、前記柔軟な管を前記インク室から自動的に密封するための弁と、
前記柔軟な管の前記第２の端部に接続されて、前記少なくとも１つの印刷カートリッジが印刷中でない前記期間中の多くの時間、前記管内の混合気体の部分圧が周囲圧力よりも十分に低下することを防止して、前記管内の気泡の膨張を制限するために前記柔軟な管を加圧するための手段
を備え、
前記弁と加圧するための前記手段との間の前記柔軟な管は、前記弁と前記加圧するための手段との間に前記柔軟な管を通る直通路を提供することからなる、印刷システム。
【請求項２】
前記弁は第１の弁であり、前記加圧するための手段が、
前記インク源と前記少なくとも１つの柔軟な管との間に接続された第２の弁であって、閉位置において、前記少なくとも１つの印刷カートリッジが印刷していない前記期間中、前記少なくとも１つの柔軟な管を前記インク源から自動的に密封し、及び、開位置において、前記少なくとも１つの印刷カートリッジが印刷中である期間中、前記少なくとも１つの柔軟な管と前記インク源との間に流体結合を提供するための第２の弁
を備えることからなる、請求項１のシステム。
【請求項３】
前記インク源は、
前記加圧するための手段と流体連通する第１の流体相互接続部材を有するインク供給ステーションと、
前記インク供給ステーション内に収容され、インク貯蔵器と、第２の流体相互接続部材を有する少なくとも１つの取り替え可能なインク供給カートリッジ
を備え、
前記第２の流体相互接続部材は、前記インク供給カートリッジが、前記インク供給ステーションに設置されたときに、前記第１の流体相互接続部材に対する密封された流体接続を形成するために前記インク貯蔵器と流体連通し、該第２の流体相互接続部材は、自己密封中央穴を有する弾性の隔壁から構成される、請求項１のシステム。
【請求項４】
前記印刷カートリッジ内にあり、前記インク室に接続されたインク圧力調整器を更に備え、前記インク圧力調整期は、前記インク源から前記インク室へのインクの流れを制御し、前記弁は、前記インク圧力調整器の一部を構成することからなる、請求項１のシステム。
【請求項５】
印刷システムを動作させる方法であって、該印刷システムは、インクを収容するインク源と、走査キャリッジと、該走査キャリッジにより支持される少なくとも１つの印刷カートリッジと、前記印刷カートリッジ内のインク室と、前記インク源と前記印刷カートリッジに流体を通すように結合されて、インクを前記インク源から前記印刷カートリッジに供給するための少なくとも１つの柔軟な管と、前記柔軟な管に接続されて、前記印刷カートリッジが印刷中でない期間において、前記管内の気体の部分圧が周囲圧力よりも十分に低下することを防止するための防止手段と、前記インク室と前記柔軟な管の間に接続された弁とを備え、前記防止手段と前記弁との間の前記柔軟な管は、前記防止手段と前記弁との間に前記柔軟な管を通る直通路を提供し、前記方法が、
前記印刷カートリッジが印刷していない期間中は少なくとも、前記弁が閉位置になるように前記弁を駆動するステップと、
前記管内の気泡の膨張を制限するために、前記印刷カートリッジが印刷中でない期間において、前記管内の気体の部分圧が周囲圧力よりも十分に低下することを防止するための前記手段を作動させるステップ
を含む、方法。
【請求項６】
前記弁は第１の弁であり、加圧するための前記手段が、前記インク源と前記少なくとも１つの柔軟な管との間に接続された第２の弁から構成され、前記作動させるステップが、
前記少なくとも１つの印刷カートリッジが印刷していない期間中、前記少なくとも１つの柔軟な管を前記インク源から密封するために前記第２の弁を閉位置に作動させるステップと、
前記少なくとも１つの印刷カートリッジが印刷中である期間において、前記少なくとも１つの柔軟な管と前記インク源との間に流体結合を提供するために、前記第２の弁を開位置に作動させるステップ
を含むことからなる、請求項５の方法。
【請求項７】
電源のオン／オフ信号を検出し、これに応答して、前記第２の弁を閉位置に作動させる前記ステップを実行するステップをさらに含む、請求項６の方法。
【請求項８】
前記インク源は、
インクジェットプリンタのドッキング・ベイ内のドッキング位置に取り外し可能に挿入される取り替え可能なインク供給器であって、前記ドッキング・ベイは、ポンプ・アクチュエータと、インクを前記印刷カートリッジに供給するための第１の弁に結合された流体入口とを有することかなる、取り替え可能なインク供給器を備え、
前記インク供給器が、
シャーシと、
ある量のインクを収容するために前記シャーシに結合されたインク貯蔵器と、
前記インク供給器が、前記ドッキング位置にあるときに、前記流体入口に係合するために前記シャーシ上に担持される流体出口と、
前記インク貯蔵器と前記流体出口に流体連通するように前記シャーシ上に担持されるポンプであって、前記インク供給器が前記ドッキング位置にあるときに、前記インク貯蔵器からインクを引き込み、前記インクを前記流体出口を通して前記柔軟な管に供給するために前記アクチュエータによって作動可能なポンプ
を備えることからなる、請求項１のシステム。
【請求項９】
前記加圧するための手段が、前記プリンタが使用されていないときに、前記少なくとも１つの柔軟な管と流体連通状態にある圧力源である、請求項１のシステム。
【請求項１０】
前記圧力源は、インクを収容する前記インク源内に配置される、請求項９のシステム。
【請求項１１】
前記ポンプは、容積が可変の室から構成される、請求項８のシステム。
【請求項１２】
前記ポンプと前記インク貯蔵器との間に配置された第２の弁であって、前記インク貯蔵器から前記ポンプへのインクの流れを可能にし、前記ポンプから前記インク貯蔵器へのインクの流れを制限する第２の弁をさらに備える、請求項８のシステム。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
インクジェット印刷ヘッドであって、
インクを受入れるバイヤを形成し、かつ、インクを励起する少なくとも一つのアクチュエータを有するチップ層と、
前記チップ層に隣接し、かつその上に重なって配置されたバリヤー層であって、幅及び縦断面積を有する少なくとも１つのスロートと少なくとも１つのバブル室とを形成し、前記少なくとも１つのスロートが前記バイヤからインクを受入れそれを前記少なくとも１つのバブル室に提供可能なようなバリヤー層と、
前記チップ層とは反対側において前記バリヤー層に隣接し、かつその上に重なって配置されたノズル層であって、前記アクチュエータによってインクが励起される際に前記少なくとも１つのバブル室からインクを放出する少なくとも１つのノズルを形成するノズル層と、
少なくとも１つのポスト、ピラー又はダムであって、前記バイヤと前記少なくとも１つのスロートとの間において前記少なくとも１つのスロートの内部でなはく当該スロートに近接して配置され、かつ、前記チップ層と前記ノズル層との間の中途まで延びており、前記バイヤから前記少なくとも１つのスロートへ向かうインクが通過しなければならない少なくとも１つのゲートを形成する少なくとも１つのポスト、ピラー又はダムと、を備え、
前記少なくとも１つのゲートの各々が、前記少なくとも１つのスロートの前記幅に同等か又はそれよりも大きい少なくとも１つの幅又は高さを有し、前記ポスト、ピラー又はダムによってインク中の屑が効果的に阻止又ははじかれるインクジェット印刷ヘッド。
【請求項２】
前記少なくとも一つのゲートの縦断面積の全合計が、前記少なくとも１つのスロートの縦断面積の全合計と同等である、請求項１に記載のインクジェット印刷ヘッド。
【請求項３】
前記少なくとも１つのスロートの縦断面積の全合計よりも大きな全合計縦断面積を有する複数のゲートを備える、請求項１に記載のインクジェット印刷ヘッド。
【請求項４】
前記少なくとも１つのポスト、ピラー又はダムが、隣接する前記チップ層から、前記ノズル層までには至らないが当該ノズル層へ向かって延びる、請求項１に記載のインクジェット印刷ヘッド。
【請求項５】
前記少なくとも１つのポスト、ピラー又はダムが、隣接する前記ノズル層から、前記チップ層までには至らないが当該チップ層へ向かって延びる、請求項１に記載のインクジェット印刷ヘッド。
【請求項６】
隣接する前記チップ層から延びるポストと、
前記少なくとも１つのスロートに近接して配置され、かつ、隣接する前記ノズル層から、前記チップ層までには至らないが当該チップ層へ向かって延びるピラーであって、前記ポストと交互に配置されたピラーとを更に備えた、請求項１に記載のインクジェット印刷ヘッド。
【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
内部にキャビティを規定する微細機械装置の製造方法であって、
主表面を規定する基板を設けるステップと、
前記主表面上に、前記キャビティのネガ型モールドとして構成される除去可能な犠牲層を堆積するステップと、
前記犠牲層上に、永久材料からなる永久層を堆積するステップと、
前記永久層を研磨して前記犠牲層を露出させるステップと、
前記犠牲層を除去するステップと、
を備える方法。
【請求項２】
請求項１に記載の方法において、前記主表面上に除去可能な犠牲層を堆積する前記ステップは、前記犠牲層を堆積して、前記犠牲層の端縁が前記基板の前記主表面とほぼ直角となるようにするステップを含む方法。
【請求項３】
請求項１に記載の方法において、前記永久層はポリアリーレンエーテルを含む方法。
【手続補正２】
【補正対象書類名】明細書
【補正対象項目名】００２２
【補正方法】変更
【補正の内容】
【００２２】
図９は、本願の出願時点で発明者らが認識している本発明の様々な実施形態を表す、犠牲層材料、永久層材料、犠牲層パターニング方法、および溶解用化学物質の好適な各種組み合わせを一般的名称で示す表である。簡単には、犠牲材料に必要な属性は、（材料自体が光感応性であるか、またはホトレジストの塗布によってパターニング可能となるかのいずれかによって）パターニング可能なこと、かつ（ウェットもしくはプラズマケミカルエッチング、イオン衝突（イオンボンバードメント）、または磨耗等によって）除去可能なこと、である。インクジェット印刷における永久材料に必要な属性は、一般的なインクの腐食性（酸性／塩基性、求核性、または反応性等）に対する耐性があること、温度に対する安定性があること、比較的剛性で、製造工程で必要ならば作製した構造をダイス状に切断できる（つまり、１枚のウェハに多数のプリントヘッドチップを作製した場合、ウェハを各チップに切断しなければならない）こと、である。材料および方法の実施可能な様々な組み合わせが示されているが、どの組み合わせがベストモードかという選択は、プリントヘッドに使用されるインクの選択、および経費等の外的要因によって異なる。全体としては、インクジェット印刷における永久層用の材料としてもっとも用途が広いのは、ポリアリーレンエーテルまたはポリイミドである。
【手続補正３】
【補正対象書類名】明細書
【補正対象項目名】００２６
【補正方法】変更
【補正の内容】
【００２６】
ポリアリーレンエーテル等の調製に関するさらなる情報は、以下の文献に記載がある。以下の文献の開示はすべて本出願に引用し援用する。
【手続補正４】
【補正対象書類名】図面
【補正対象項目名】図９
【補正方法】変更
【補正の内容】
【図９】
1998086392.tif 000001
【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
観察光学系の結像位置にその撮像面を位置させて配設される固体撮像素子と、この固体撮像素子と接続し、電気部品を搭載する回路基板と、前記固体撮像素子または前記回路基板と電気的に接続する複数の信号線とを備えた内視鏡用撮像ユニットにおいて、
前記固体撮像素子または前記回路基板と接続する第１の接続部と、前記信号線の先端部を挿入して接続する孔状の第２の接続部と、前記第１の接続部と前記第２の接続部とを電気的に接続する導電パターンとを有する信号線接続基板を具備することを特徴とする内視鏡用撮像ユニット。
【請求項２】
前記信号線接続基板は、前記固体撮像素子と平行に配置されることを特徴とする請求項１に記載の内視鏡用撮像ユニット。
【請求項３】
観察光学系の結像位置にその撮像面を位置させて配設される固体撮像素子と、 この固体撮像素子から後方へ前記観察光学系の光軸に平行に延出する外部リードと、前記固体撮像素子と平行に配設される回路基板と、この回路基板に設けられ、前記外部リードの中途部と接続する回路基板接続部と、前記回路基板の後方で前記固体撮像素子と平行に配設される信号線接続基板と、この信号線接続基板に設けられ、前記外部リードの後端部と接続する第１の接続部と、 この第１の接続部と導電パターンを介して電気的に接続する孔状の第２の接続部と、この孔状の第２の接続部にその先端部を挿入して接続する信号線とを具備することを特徴とする内視鏡用撮像ユニット。
【請求項４】
前記回路基板接続部は、前記回路基板の側面に設けられ、この側面を円筒状に切り欠いた形状であり、かつ、前記第１の接続部は、前記信号線接続基板の側面に設けられ、この側面を円筒状に切り欠いた形状であることを特徴とする請求項３に記載の内視鏡用撮像ユニット。
【手続補正２】
【補正対象書類名】明細書
【補正対象項目名】０００８
【補正方法】変更
【補正の内容】
【０００８】
【課題を解決するための手段】上記目的を達成するために、本発明の撮像ユニットは、観察光学系の結像位置にその撮像面を位置させて配設される固体撮像素子と、この固体撮像素子と接続し、電気部品を搭載する回路基板と、前記固体撮像素子または前記回路基板と電気的に接続する複数の信号線とを備え、前記固体撮像素子または前記回路基板と接続する第１の接続部と、前記信号線の先端部を挿入して接続する孔状の第２の接続部と、前記第１の接続部と前記第２の接続部とを電気的に接続する導電パターンとを有する信号線接続基板を具備することを特徴とするものである。また、観察光学系の結像位置にその撮像面を位置させて配設される固体撮像素子と、 この固体撮像素子から後方へ前記観察光学系の光軸に平行に延出する外部リードと、前記固体撮像素子と平行に配設される回路基板と、この回路基板に設けられ、前記外部リードの中途部と接続する回路基板接続部と、前記回路基板の後方で前記固体撮像素子と平行に配設される信号線接続基板と、この信号線接続基板に設けられ、前記外部リードの後端部と接続する第１の接続部と、 この第１の接続部と導電パターンを介して電気的に接続する孔状の第２の接続部と、この孔状の第２の接続部にその先端部を挿入して接続する信号線とを具備することを特徴とするものである。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
内視鏡の操作部に固定された固定軸に湾曲操作ノブの回転軸が回転可能に装着され、前記湾曲操作ノブの回転操作にともない内視鏡の湾曲部を遠隔的に湾曲操作するとともに、
前記湾曲操作ノブの回動に対して制動をかける制動機構を備えた内視鏡の湾曲操作装置において、
前記湾曲操作ノブに前記操作部のケーシング側に開口し、前記制動機構を収納する制動機構収納室を設けるとともに、
前記制動機構を駆動する制動操作部材に前記収納室の開口部を覆う収納室閉塞体を設け、前記湾曲操作ノブの収納室の内面と前記収納室閉塞体との間をシールするシール部材を設けたことを特徴とする内視鏡の湾曲操作装置。
【請求項２】
内視鏡の操作部に固定され操作部のケーシングに設けられた孔部から外部に突出した固定軸と、
固定軸に回転可能に支持された少なくとも一つの回転軸と、
回転軸に接続された湾曲操作ノブと、
湾曲操作ノブの回転を選択的に制動する制動機構と、
制動機構の作動を指示する為の制動レバーを有し回転可能な少なくとも一つの制動レバー部材と、
からなる湾曲操作部を有する内視鏡装置において、
前記湾曲操作ノブは内周側に設けられた制動機構を収納する収納部と、収納部の固定軸の軸方向に投影した面積と略同一か、又は大きな面積に形成された円筒状の開口孔部とを有し、
前記制動レバー部材を開口孔部に内嵌して設け、前記開口孔部と前記制動レバー部材との間にシール部材を設け、前記固定軸と前記回転軸と前記制動機構とを前記湾曲操作部ノブと前記制動レバーとから囲まれた空間に配設して被覆したことを特徴とする内視鏡装置。
【請求項３】
第一の回転軸と第一の回転軸に接続された第一の湾曲操作ノブと、
第一の回転軸に内嵌した第二の回転軸と第二の回転軸に接続された第二の湾曲操作ノブとを有し、
第一の湾曲操作ノブと第二の湾曲操作ノブの間にシール部材を設けて、第一の回転軸の開口部を水密、気密的に封止したことを特徴とする請求項２に記載の内視鏡装置。
【手続補正２】
【補正対象書類名】明細書
【補正対象項目名】０００６
【補正方法】変更
【補正の内容】
【０００６】
【課題を解決するための手段】
請求項１の発明は、内視鏡の操作部に固定された固定軸に湾曲操作ノブの回転軸が回転可能に装着され、前記湾曲操作ノブの回転操作にともない内視鏡の湾曲部を遠隔的に湾曲操作するとともに、前記湾曲操作ノブの回動に対して制動をかける制動機構を備えた内視鏡の湾曲操作装置において、前記湾曲操作ノブに前記操作部のケーシング側に開口し、前記制動機構を収納する制動機構収納室を設けるとともに、前記制動機構を駆動する制動操作部材に前記収納室の開口部を覆う収納室閉塞体を設け、前記湾曲操作ノブの収納室の内面と前記収納室閉塞体との間をシールするシール部材を設けたことを特徴とする内視鏡の湾曲操作装置である。
そして、湾曲操作ノブの制動機構収納室の開口部を制動操作部材の収納室閉塞体によって覆い、湾曲操作ノブの収納室の内面と収納室閉塞体との間をシール部材でシールすることにより、湾曲操作ノブの制動機構収納室内の制動機構や、湾曲操作ノブの回転軸などに汚物や、薬液が触れることをなくして作動が確実で、各部品の劣化をなくし、洗滌の手間を軽減させ、さらに、確実な防水構造の構成を簡略化できるようにしたものである。
請求項２の発明は、内視鏡の操作部に固定され操作部のケーシングに設けられた孔部から外部に突出した固定軸と、固定軸に回転可能に支持された少なくとも一つの回転軸と、回転軸に接続された湾曲操作ノブと、湾曲操作ノブの回転を選択的に制動する制動機構と、制動機構の作動を指示する為の制動レバーを有し回転可能な少なくとも一つの制動レバー部材と、からなる湾曲操作部を有する内視鏡装置において、前記湾曲操作ノブは内周側に設けられた制動機構を収納する収納部と、収納部の固定軸の軸方向に投影した面積と略同一か、又は大きな面積に形成された円筒状の開口孔部とを有し、前記制動レバー部材を開口孔部に内嵌して設け、前記開口孔部と前記制動レバー部材との間にシール部材を設け、前記固定軸と前記回転軸と前記制動機構とを前記湾曲操作部ノブと前記制動レバーとから囲まれた空間に配設して被覆したことを特徴とする内視鏡装置である。
請求項３の発明は、第一の回転軸と第一の回転軸に接続された第一の湾曲操作ノブと、第一の回転軸に内嵌した第二の回転軸と第二の回転軸に接続された第二の湾曲操作ノブとを有し、第一の湾曲操作ノブと第二の湾曲操作ノブの間にシール部材を設けて、第一の回転軸の開口部を水密、気密的に封止したことを特徴とする請求項２に記載の内視鏡装置である。
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
内視鏡挿入部の先端部に、少なくとも１つ以上の処置手段を有する内視鏡用モジュールを、着脱手段を介して取付け可能であることを特徴とする内視鏡システム。
【請求項２】
前記内視鏡は、前記内視鏡用モジュールの処置手段を遠隔操作する操作部を有することを特徴とする請求項１に記載の内視鏡システム。
【請求項３】
前記操作部からの操作力を前記処置手段へ伝達する伝達ワイヤを有することを特徴とする請求項２に記載の内視鏡システム。
【請求項４】
前記操作部は、前記内視鏡用モジュールの処置手段に第１の操作力を伝達する第１操作部及び前記処置手段に第２の操作力を伝達する第２操作部を具備することを特徴とする請求項２に記載の内視鏡システム。
【請求項５】
少なくとも１つ以上の処置手段を有する内視鏡用モジュールと、複数種類の内視鏡用モジュールがそれぞれ取付け可能な挿入部先端部を有する内視鏡とを備え、記内視鏡用モジュールと前記内視鏡の挿入部先端部とが着脱手段を介して交換自在であって、
前記内視鏡が、前記処置手段を手元操作する操作手段と、前記内視鏡挿入部内を挿通するワイヤ用チャンネル及び他の機能を有するチャンネルと、前記ワイヤ用チャンネル内に挿通される伝達ワイヤとを具備する構成において、
前記操作手段と前記処置手段とは前記伝達ワイヤによって連結されることを特徴とする内視鏡システム。
【請求項６】
前記ワイヤ用チャンネルは、吸引機能を有することを特徴とする請求項５に記載の内視鏡システム。
【請求項７】
前記処置手段と前記伝達ワイヤとは、該処置手段及び該伝達ワイヤの端部にそれぞれ設けられた操作力伝達手段を介して着脱自在に連結されることを特徴とする請求項５に記載の内視鏡システム。
【請求項８】
前記内視鏡モジュール及び前記内視鏡の挿入部先端部にそれぞれ設けられる着脱手段は、該内視鏡モジュールに設けた突出部配置用孔及び該内視鏡の挿入部先端部に設けた先端突出部で構成されることを特徴とする請求項５に記載の内視鏡システム。
【請求項９】
前記内視鏡モジュール及び前記内視鏡の挿入部先端部にそれぞれ設けられる着脱手段は、該内視鏡モジュール又は該内視鏡の挿入部先端部の少なくとも一方に配設される磁石であることを特徴とする請求項５に記載の内視鏡システム。
【請求項１０】
前記内視鏡モジュールの有する前記処置手段は、前記操作手段の操作によって前記内視鏡の観察視野内において、該処置手段が観察される位置に移動可能であることを特徴とする請求項５に記載の内視鏡システム。
【請求項１１】
前記内視鏡モジュールは本体部を有し、この本体部は前記内視鏡の挿入部先端部を被覆することを特徴とする請求項１又は請求項５に記載の内視鏡システム。
【請求項１２】
前記内視鏡モジュールの本体部及び前記内視鏡の挿入部先端部に、該内視鏡モジュールが前記内視鏡の長手軸方向に対して移動することを防止する着脱手段を設けたことを特徴とする請求項１１に記載の内視鏡システム。
【請求項１３】
少なくとも１つ以上の処置手段を有する内視鏡用モジュールと、複数種類の内視鏡用モジュールが取り付けられる挿入部先端部を有する内視鏡とを具備する内視鏡システムであって、
前記内視鏡モジュールと前記挿入部先端部とを着脱自在にする着脱手段を備える構成において、
前記内視鏡モジュールの本体部の外形寸法と前記内視鏡挿入部の先端部の外形寸法とを同一に設定したことを特徴とする内視鏡システム。
【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
内側の表面不織布と外側の不透液性バックシートとの間に吸収体を介在させてなる紙おむつ、もしくは該バックシートの外面にさらに外装用不織布を設けた紙おむつにおいて、該紙おむつの最外表面に袋体を形成してなり、該袋体が、矩形シートの一方の対向辺部をそれぞれ一重もしくは二重に折り返してそれぞれの折り返し部の先端縁同士を当接、近接もしくは重ね合わせ、他方の対向辺部の端縁に沿って折り返し部と非折り返し部との固着ラインを設けたものであり、該袋体が表になるようにして巻き込んだ紙おむつを、該袋体を裏返すことにより該袋体で被包することを特徴とする後処理袋付紙おむつ。
【請求項２】
内側の表面不織布と外側の不透液性バックシートとの間に吸収体を介在させてなる紙おむつ、もしくは該バックシートの外面にさらに外装用不織布を設けた紙おむつの最外表面に形成される袋体であって、該袋体が、矩形シートの一方の対向辺部をそれぞれ一重もしくは二重に折り返してそれぞれの折り返し部の先端縁同士を当接、近接もしくは重ね合わせ、他方の対向辺部の端縁に沿って折り返し部と非折り返し部との固着ラインを設けたものであることを特徴とする紙おむつの後処理袋。
【請求項３】
長尺シート部材を長手方向に供給し、その両側縁部を連続的に一重もしくは二重に折り返して折り返し部の先端縁同士を当接、近接もしくは重ね合わせた後、長手方向に所定間隔で折り返し部と非折り返し部とを幅方向に帯状に固着し、その後この帯状固着ラインに沿って切断することにより袋体を得、しかる後該袋体の非折り返し部の外面を紙おむつの最外表面に固着することを特徴とする後処理袋付紙おむつの製造方法。
【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
被検体内に超音波を送受信する探触子と、この探触子を駆動して超音波を発生させると共に受信した反射エコー信号を処理する超音波送受信部と、該処理された反射エコー信号をディジタル化して得られる超音波画像のデータを時系列に複数フレーム記録する記憶部と、該記録された連続する複数フレームの画像データを並列に読み出し各フレームの同一アドレスの画像データ列から動画像の特徴を示す動態パターンを生成するパターン生成手段と、該生成された動態パターンに応じて上記超音波画像のデータについて画像処理を行う出力データ処理手段と、該画像処理された画像データを入力して表示する画像表示部とを備えて成る超音波診断装置において、
上記パターン生成手段は、上記記憶部から読み出した連続する複数フレームの画像データの同一アドレスの画像データ列を取得し、これらの画像データ列の各々について所定のしきい値と比較して輝度値の大小で２値化し、この２値化した輝度データを各データの得られた順番に並べて動態パターンを生成するものであることを特徴とする超音波診断装置。
【手続補正２】
【補正対象書類名】明細書
【補正対象項目名】０００７
【補正方法】変更
【補正の内容】
【０００７】
【課題を解決するための手段】
上記目的を達成するために、本発明による超音波診断装置は、被検体内に超音波を送受信する探触子と、この探触子を駆動して超音波を発生させると共に受信した反射エコー信号を処理する超音波送受信部と、該処理された反射エコー信号をディジタル化して得られる超音波画像のデータを時系列に複数フレーム記録する記憶部と、該記録された連続する複数フレームの画像データを並列に読み出し各フレームの同一アドレスの画像データ列から動画像の特徴を示す動態パターンを生成するパターン生成手段と、該生成された動態パターンに応じて上記超音波画像のデータについて画像処理を行う出力データ処理手段と、該画像処理された画像データを入力して表示する画像表示部とを備えて成る超音波診断装置において、上記パターン生成手段は、上記記憶部から読み出した連続する複数フレームの画像データの同一アドレスの画像データ列を取得し、これらの画像データ列の各々について所定のしきい値と比較して輝度値の大小で２値化し、この２値化した輝度データを各データの得られた順番に並べて動態パターンを生成するものである。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】変更
【補正の内容】
【００１２】
ここで、本発明においては、上記２値化回路・パターン生成部４は、上記記憶部３から読み出した連続する複数フレームＦ1〜Ｆ5の画像データの同一アドレスの画像データ列を取得し、これらの画像データ列の各々について所定のしきい値と比較して輝度値の大小で２値化し、この２値化した輝度データを各データの得られた順番に並べて動態パターンを生成するようになっている。
次に、このように構成された超音波診断装置の動作について、図２〜図６を参照して説明する。まず、図１において、探触子１は、２次元画像構築のために被検体内に向けて超音波ビームを走査し、被検体内からの反射エコーは超音波送受信部２によって受信される。この受信された信号は、ディジタル化された後、超音波画像を経時的に連続に複数フレーム記録することができる記憶部３の各フレームメモリ３ａ〜３ｅに順次格納される。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
【発明の効果】
本発明は以上のように構成されたので、超音波送受信部で処理された反射エコー信号をディジタル化して得られる超音波画像のデータを時系列に複数フレーム記録する記憶部から読み出した連続する複数フレームの画像データの同一アドレスの画像データ列を取得し、これらの画像データ列の各々について所定のしきい値と比較して輝度値の大小で２値化し、この２値化した輝度データを各データの得られた順番に並べて動態パターンを生成するパターン生成手段を設けたことにより、動画像の特徴（動態パターンの形状）に応じて、動画像上で運動する物体を表示しているという特徴の場合はその画像をそのまま表示し、また、動画像上のそのポイントが静止状態であるという特徴の場合はその画像を平滑化して表示し、さらに、動画像上のそのポイントがノイズであるという特徴の場合はそのノイズを除去して表示することができる。これにより、従来の超音波診断装置におけるフレーム相関処理で発生していた「尾引き」現象や、「ボケ」現象を除去し、動画像上で運動する物体の画像を加算平均化処理することに起因して多重に表示される画質劣化や輝度低下を生ずることなく、スペックルノイズ等のノイズを低減することができる。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
寝台の天板上に載置した被検体を医用画像診断装置内に移送する診断装置用寝台において、
前記被検体載置に伴う天板長手方向の歪変形を吸収緩和する手段を備えたことを特徴とする診断装置用寝台。
【請求項２】
前記天板長手方向の歪変形を吸収緩和する手段は、
前記寝台の長手方向の略両端に設けられ、該寝台を支持する少なくとも左右１対の主ローラと、
該主ロ−ラよりも前記寝台長手方向外側に設けられ、前記被検体による前記天板の負荷変形時においてのみ、床面に接触可能に設けた少なくとも左右１対の補助ローラとを有することを特徴とする請求項１記載の診断装置用寝台。
【手続補正２】
【補正対象書類名】明細書
【補正対象項目名】０００７
【補正方法】変更
【補正の内容】
【０００７】
上記の課題は、被検体載置に伴う天板長手方向の歪変形を吸収緩和する手段を備えることによって達成できる。具体的には、寝台の長手方向の略両端に設けられ、該寝台を支持する少なくとも左右１対の主ローラと、該主ロ−ラよりも前記寝台長手方向外側に設けられ、前記被検体による前記天板の負荷変形時においてのみ、床面に接触可能に設けた少なくとも左右１対の補助ローラとを有する構成を用いることが出来る。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
所定の形状を形成する心筋横断血管再生（ＴＭＲ）チャネルにおいて、
人間の心臓の心外膜の中の開口と、
第１の開口から心筋層の中まで延在する第１の分岐と、
第１の分岐と交通している少なくとも１つの心筋層の中への追加分岐とを有する
心筋横断血管再生（ＴＭＲ）チャネル。